(57)【特許請求の範囲】
【請求項１】
測定時に制御部が格納されているデバイス本体に挿入される素子反応センサ部材を備えているバイオセンサにおいて、素子反応センサ部材に、酵素反応により発生した素子電流を検出して取り出す一対の電極およびロット判別用電極を設け、これら３つの電極出力端子をデバイス本体への挿入によって電気的に接続させ、制御部では電極の出力端子からの電気信号に基づく等価の測定値を演算すると共に、ロット判別用電極の出力端子の接続によって形成される回路が閉回路となったことを判別して、予め記憶されたデータテーブルを参照して測定値に素子補正データを付加して表示できるように構成したバイオセンサを用いることを特徴とする測定方法。
【請求項２】
デバイス本体が、素子反応センサ部材の挿入により接続される５つのコネクタピンよりなる入力部を有し、このコネクタピンの２つに素子反応センサ部材の２つの出力端子が接続し、他の３つのコネクタピンにロット判別用電極の出力端子を接続させかつ３つのコネクタピンの内の１つが接地しているバイオセンサが用いられる請求項１記載の測定方法。
【請求項３】
３つのコネクタピンとロット判別用電極の出力端子との接続によって２ビットのロット判別用データ信号を読み取り、このロット判別用データ信号に基いてデータテーブルを参照して素子補正データを判定する請求項２記載の測定方法。
【発明の詳細な説明】
【０００１】
【発明の属する技術分野】
本発明は、酵素や抗体など生体物質の分子識別機能を利用した物理化学デバイスとしてのバイオセンサを用いた測定方法に関する。
【０００２】
【従来の技術】
生体機能をエレクトロニクス分野に応用するバイオエレクトロニクスの研究が進んでいる。このバイオエレクトロニクス分野におけるバイオセンサは、生体のもつ優れた分子識別機能を利用したデバイスであり、化学物質を迅速にしかも簡単に測定できるものとして、将来有望視されている。
【０００３】
かかるバイオセンサは、例えば生産ライン上の商品の抜き取り品質検査等に使い捨て用として使用される場合がある。この場合には、採取した液状等の被測定物を酵素反応部に滴下し、酵素反応によって発生する電流を取り出して検出する。この電流値に等価の測定値をデータテーブルを参照して求め、それを出力して表示する。
【０００４】
ところで、このように用いられる従来のバイオセンサにおいては、使用者は被測定物を採取して滴下した単体のセンサ部材をデバイス本体に挿入して測定値を求める際、センサ装着動作に加えて次のような設定作業を強いられている。即ち、デバイス本体に対して予めセンサ部材の保有する出力特性に対応した補正データーを、そのセンサ部材の装着のたび毎に設定するか、もしくは測定対象物の所定のロット数毎に設定して入力しなければならない。
【０００５】
このように、センサ装着操作に加え、使用者自身がセンサ出力特性に合わせた補正データをそのたび毎に設定して入力するというのでは、補正データの誤設定や設定忘れなどといった人為的ミスが発生し易い。その結果、補正データ違いによって測定結果に大きな誤差を生じ、測定への信頼性を低下させるという不都合がある。更に、デバイス製造者側の立場からすれば、同じロット毎に選別振り分けする手間を要するという煩わしさがある。
【０００６】
【発明が解決しようとする課題】
本発明の目的は、使用者自身が使用センサの補正データを設定する手間を省き、誤設定や設定忘れによる測定データの信頼性低下を未然に防止できるバイオセンサを用いた測定方法を提供することにある。
【０００７】
【課題を解決するための手段】
かかる本発明の目的は、測定時に制御部が格納されているデバイス本体に挿入される素子反応センサ部材を備えてなっているバイオセンサにおいて、素子反応センサ部材に、酵素反応により発生した素子電流を検出して取り出す一対の電極およびロット判別用電極を設け、これら３つの電極出力端子をデバイス本体への挿入によって電気的に接続させ、制御部では電極の出力端子からの電気信号に基づく等価の測定値を演算すると共に、ロット判別用電極の出力端子の接続によって形成される回路が閉回路となったことを判別して、予め記憶されたデータテーブルを参照して測定値に素子補正データ（素子ロット番号等）を付加して表示できるように構成されたバイオセンサを用いた測定方法によって達成される。
【０００８】
ここで用いられるバイオセンサにおいて、素子反応センサ部材の挿入により接続されるデバイス本体の入力部に設けた５つのコネクタピンの内、２つのコネクタピンには素子反応センサ部材の２つの出力端子を接続させ、他の３つのコネクタピンにはロット判別用電極の出力端子を接続させかつこれら３つのコネクタピンの内の１つをアース接地に落とすことで閉回路を形成させる。
【０００９】
【発明の実施の形態】
図１に示すように、本実施態様として用いられるバイオセンサは、デバイス本体１を有し、このデバイス本体１に対して単体で設けた反応素子センサ部材２を挿入して装着するようになっている。
【００１０】
デバイス本体１の構成は、５個のコネクタピン１０ａ，１０ｂ，１０ｃ，１０ｄ，１０ｅからなる入力部１０が設けられ、ここに素子反応センサ部材２の出力端子２１ｂ,、２２ｂを挿入して電気的に接続させるようになっている。５個というコネクタピンの設置数は、素子反応センサ部材２側に設けた後述の２つの出力端子２１，２２の個数に３本を加えた数であり、中央に配置したコネクタピン１０ｃはコモン端子として設定されている。
【００１１】
また、デバイス本体１は、マイコンによるＣＰＵ（中央演算処理装置）等からなる制御部１１を備えている。この制御部１１は、検出電流を電圧値に変換する変換回路１２、電気信号を増幅する増幅器１３、入力データ信号に基づいて演算処理する演算部１４、そしてこの演算部１４で処理された値を測定値として表示するＬＣＤ（液晶表示装置）等によるディスプレイ表示部１５等よりなっている。これら各部からＩ／Ｏポートに入出力される信号に基づいてＣＰＵは全体的な制御を行う。
【００１２】
一方、素子反応センサ部材２には、絶縁性基板上に酵素反応により発生する素子電流を検出して取り出すための一対の電極として、作用極２１とその対極２２が対向一対としてパターン印刷されている。絶縁性基板としては、セラミックス、ガラス、プラスチック、紙、生分解性材料（例えば、微生物生産ポリエステル等）が用いられる。電極パターンの形成法としては、スクリーン印刷、蒸着、スパッタリングなどが用いられ、白金、金、銀、パラジウム、カーボン等の導電性金属から電極が形成される。
【００１３】
両電極２１,２２は、反応検出部２１ａ，２２ａを有し、採取された被測定物を酵素反応部２３に滴下して酵素反応により発生する素子電流を取り出し、出力端子２１ｂ，２２ｂから出力させる。即ち、反応検出部２１ａ，２２ａに相対する反対側の両電極部分は出力端子２１ｂ，２２ｂとして形成され、ここから酵素反応部２３の素子電流を出力するようになっている。
【００１４】
酵素反応部２３として酸化還元酵素、例えばグルコースオキシダーゼを用いた使い捨てグルコースバイオセンサの場合、多くは被測定物として原液サンプルを採取して、グルコース濃度を酸化電流値で間接的に求める方法は周知である。グルコースはグルコースオキシダーゼ作用によって酸化されてグルコノラクトンを生成させ、そのとき発生するＨ2Ｏ2を作用極２１上で酸化させて、その際の酸化電流値を測定する。
【００１５】
また、図２に示されるように、電極２１，２２の出力端子２１ｂ，２２ｂの上からスペーサ２４が貼り付けられ、スペーサ２４を介して絶縁膜層２５が形成されている。スペーサ２４には、電極側の出力端子２１ｂ，２２ｂ間に位置するようにして、例えばカーボン電極によるロット判別用電極２６が印刷されている。スペーサ２４の酵素反応部２３に対応する部分には、この酵素反応部２３への被測定物の滴下を妨げないよう、矩形状の抜き窓２４ａが開口して設けられている。
【００１６】
このように、素子反応センサ部材２では、出力側に２つの出力端子２１ａ，２２ａと、これら端子間のロット判別用電極２６とによる計３つの出力端子が形成されることになる。これら３つの電極出力端子は、前述のデバイス本体１０の入力部１０における５個のコネクタピン１０ａ，１０ｂ，１０ｃ，１０ｄ，１０ｅの内、対応するピンに電気的に接続される配置となっている。具体的には、電極２１，２２の両出力端子２１ａ，２２ａはコネクタピン１０ａ，１０ｅに接続され、ロット判別用電極２６はコネクタピン１０ｂ，１０ｄとコモン端子１０ｃに接続される。
【００１７】
以上の構成による測定に際しては、図１の矢印Ａで示す方向から、素子反応センサ部材２がデバイス本体１に挿入されてセットされる。これの挿入により、素子反応センサ部材２側の２つの電極出力端子２１ｂ，２２ｂが、デバイス本体１側の入力部１０における５個のコネクタピン１０ａ，１０ｂ，１０ｃ，１０ｄ，１０ｅの内、２つのコネクタピン１０ａ，１０ｅに電気的接続状態となる。
【００１８】
この準備状態において、被測定物の滴下により素子反応センサ部材２では酵素反応部２３での酵素反応により素子電流が発生する。この素子電流は電極２１，２２に検出電流として取り出され、出力端子２１ｂ，２２ｂからデバイス本体１に向けて出力される。この素子反応センサ部材２から出力された素子電流による検出信号Ｉ1，Ｉ2が、デバイス本体１の２つのコネクタピン１０ａ，１０ｅから入力される。
【００１９】
デバイス本体１の制御部１１では、センサ側から受け取ったコネクタピン１０ａ，１０ｅに入力された素子電流の検出信号Ｉ1，Ｉ2を変換回路１２で電圧変換し、増幅器１３で増幅する。この増幅信号に基づいてＣＰＵに含まれる演算部１４ではデータ処理を行う。これと同期して、素子反応センサ部材２側のロット判別用電極２５との接触により、コンタクトピン１０ｂまたは１０ｄとコモン端子１０ｃが短絡し、アース電流として接地することで、ロット判別情報が制御部１１のＣＰＵにＩ/Ｏポートから入力される。ＣＰＵでは、そのロット判別情報に基づいて演算部１４で演算を行い、その演算値をメモリーに記憶格納されているロット補正データに対応するデータテーブルを参照して比較する。その認識によって、２ビットのオン／オフ信号として４種類のロット検量線のいずれかの種別を読み取って判定する。判定結果は、酵素反応による素子電流に等価の信号である測定値として出力する。この測定値はＬＣＤ表示部１５においてデジタル表示される。
【００２０】
図３は、パターン１，２，３，４（４種類のロット検量線）について、電極２１，２２出力端子２１ａ，２２ａから出力された素子電流による検出信号Ｉ1，Ｉ2による２ビットのオン／オフ信号を示したものである。
【００２１】
なお、本実施態様においては、４種類のロット検量線でロット番号を認識させる場合について示したが、ロット検量線は４種類に限定されるものでなく、素子電流の検出ビット信号を増設することによって、ロット検量種類を増すことができ、測定領域を更に拡張できる。
【００２２】
【発明の効果】
本発明のバイオセンサを用いた測定方法によれば、従来、測定に際して、センサ装着操作に加え、使用者自身がセンサ出力特性に合わせた補正データをそのたびに設定して入力することで、補正データの誤設定や設定忘れなどといった人為的ミスの結果として、補正データ違いによって測定結果に大きな誤差を生じ、測定への信頼性を低下させるといった不都合があったが、電子制御による補正データの参照と判別を行うことでこれを解消することができ、測定の信頼性を高めることができる。また、デバイス製造者側は、同じロット毎に選別振り分けする手間を要する煩わしさを解消できる利点がある。
【図面の簡単な説明】
【図１】  本発明方法で用いられるバイオセンサの一態様の構成を示すブロック図である。
【図２】  本発明方法で用いられるバイオセンサにおける素子反応検出部とスペーサを模式的に示す平面図である。
【図３】  ４種類の検量パターンと検出素子電流との相関を示す表である。
【符号の説明】
１              デバイス本体
１０            入力部
１０ａ〜１０ｅ  コネクタピン
１０ｃ          コモン端子
１１            ＣＰＵ等からなる制御部
１５            ＬＣＤ等によるディスプレイ表示部
２              素子反応センサ部材
２１，２２      素子電流検出用の電極
２１ａ，２２ａ  素子反応検出部
２１ｂ，２２ｂ  出力端子
２３ｂ          酵素反応部
２４            スペーサ
２５            絶縁膜層
２６            ロット判別用電極
【図１】
0003702582.tif 000002
【図２】
0003702582.tif 000003
【図３】
0003702582.tif 000004